(57)【要約】【課題】様々なジャンルの情報を省スペースで送信できる情報送信装置を提供する。【解決手段】情報送信装置１は、携帯電話機７との間隙が数センチメートル以下の場合に、携帯電話機７に第ｎ情報（１≦ｎ≦Ｎ）（Ｎは２以上の整数）を送信するＩＣタグ２と、表示内容例えば選択ボタンの種類を表示する文字「会員登録」が変更可能に構成された液晶表示パネル３と、液晶表示パネル３を囲むフレーム４と、フレーム４に取付けられると共にＩＣタグ２が送信する第ｎ情報を選択する構成とされた４個（Ｎ＝４）の選択ボタン５とを備える。ＩＣタグ２は、消費者が第３の選択ボタン５Ｃを押すことで選択された第３情報即ちホームページＵＲＬ情報を含む温泉に関する情報を、送信方向６に沿って、ＩＣタグ２から数センチメートル上方に離れた位置に配置された携帯電話機７に、液晶表示パネル３を通して送信可能に構成される。【選択図】図１
2010263356.tif 000002
【特許請求の範囲】
【請求項１】
携帯情報端末との間隙が所定の距離以下の場合に同携帯情報端末に第ｎ（１≦ｎ≦Ｎ）（Ｎは２以上の整数）情報を送信する情報送信手段と、
表示内容が変更可能に構成された情報表示手段と、
前記情報送信手段が送信する第ｎ情報を選択するＮ個の選択手段とを備え、
前記情報送信手段は、第ｎ番目の前記選択手段によって選択された第ｎ情報を送信可能に構成される
情報送信装置。
【請求項２】
前記情報送信手段は、前記情報表示手段を通して第ｎ情報を送信する
請求項１に記載の情報送信装置。
【請求項３】
前記情報送信手段は、前記情報表示手段の外側の領域に位置する
請求項１に記載の情報送信装置。
【請求項４】
前記情報表示手段によって表示される内容は、前記第ｎ情報のジャンルに属する広告情報である
請求項１〜３のいずれか１つに記載の情報送信装置。
【請求項５】
前記第ｎ情報及び前記広告情報は、情報送信装置が設置される場所を中心として所定の範囲の領域についての情報である
請求項４に記載の情報送信装置。
【請求項６】
携帯情報端末との間隙が所定の距離以下の場合に同携帯情報端末に第ｎ（１≦ｎ≦Ｎ）（Ｎは２以上の整数）情報を送信する情報送信手段と、
テレビジョン受信装置のチャンネル情報を選択すると共に前記情報送信手段が送信する第ｎ情報を選択するＮ個の選択手段とを備え、
前記情報送信手段は、第ｎ番目の前記選択手段によって選択された第ｎ情報を送信可能に構成される
リモートコントローラ送信装置。
【請求項７】
第ｎ番目の前記選択手段によって選択された第ｎ情報は、第ｎ番目の前記選択手段によって選択されたチャンネル情報に対応する
請求項６に記載のリモートコントローラ送信装置。
【発明の詳細な説明】
【技術分野】
【０００１】
本発明は情報送信装置に関する。詳しくは、消費者が携帯電話機をかざして情報を取得できる情報送信装置に係るものである。
また、本発明はリモートコントローラ送信装置に関する。詳しくは、消費者が携帯電話機をかざして情報を取得できる、テレビジョン受信装置用のリモートコントローラ送信装置に係るものである。
【背景技術】
【０００２】
近距離無線通信の１つとして、非接触ＩＣタグ、無線ＩＣタグ、非接触データキャリア、ＲＦＩＤ等を用いた非接触ＩＣ通信が、物品管理、物流管理、情報表示など様々な分野において適用されている。
【０００３】
例えば、特許文献１には、携帯情報端末を使用した電子乗車券システムが記載されている。即ち、特許文献１の電子乗車券システムでは、消費者が携帯情報端末を操作して、乗車券類予約販売ホストコンピュータと通信を行い、特急券、指定券、定期券等の所望の車券を予約購入し、乗車券類予約販売ホストコンピュータは、消費者が指定する銀行やクレジット会社のホストコンピュータに接続されており、車券の予約購入がなされた際に、消費者が指定した銀行やクレジット会社のホストコンピュータと通信を行い、決済処理を行なう。また、乗車券類予約販売ホストコンピュータは、決済処理後に、消費者により購入された車券を示す購入情報を、消費者の携帯情報端末に送信する。さらに、消費者の携帯情報端末は、この購入情報を、携帯情報端末に設けられたＩＣモジュール内に記憶し、消費者は、自動改札機を通過する際に携帯情報端末をかざすと、ＩＣモジュール内に記憶された購入情報に基づいて自動改札機との間の通信により自動改札が行われる。
【０００４】
一方、テレビジョン受信装置は、所望の番組を、所望の音量または音質で視聴したり、簡単な画質設定等が出来たりする機能を備えている。そのため、このテレビジョン受信装置に付属するテレビジョン受信装置用リモートコントローラは、電源ボタン、チャンネル選択ボタン、音量ボタン、上下左右のカーソルボタン及び決定ボタン等を備えている。
【０００５】
また、テレビジョン受信装置を中心とした周辺のオーディオビジュアル機器例えばビデオ機器が増えるにつれて、リモートコントローラの数も増えるため、消費者の操作負担を軽減するために、複数のリモートコントローラの機能を一体化したいわゆる「マルチリモコン」が利用されている。
【０００６】
例えば特許文献２に記載のマルチリモコンは、テレビ受信装置を遠隔操作できると共に、操作ボタン部を所定の操作により、表示部にオーディオビジュアル機器（接続機器）の機器名を順次切り替え表示させ、所望の接続機器を操作対象機器として選択でき、操作ボタン部のメニューボタンを操作すると、テレビジョン受信装置の画面にこの操作対象機器の操作メニュー画面が表示され、操作メニュー画面について、マルチリモコンを操作することにより、この操作対象機器の遠隔操作ができる。
【先行技術文献】
【特許文献】
【０００７】
【特許文献１】特開２００１−２６６１７８号公報
【特許文献２】特開２００３−７８７７９号公報
【発明の概要】
【発明が解決しようとする課題】
【０００８】
ところで、このように携帯情報端末を所定の装置にかざすことによって情報の送受信を行うことを利用して、例えば、公共の場において設置されている案内板や掲示板に貼られた各種情報媒体（例えば紙）に近接させて無線ＩＣタグ等を取付け、非接触ＩＣリーダライタが内蔵された携帯情報端末を各種情報媒体近くの無線ＩＣタグにかざして、より詳しい情報を取得することが考えられる。
【０００９】
しかし、このような場合、ジャンルの数だけ紙などの情報媒体が必要となり、取得したい情報のジャンルが多いと、案内板や掲示板において多くの面積を必要としていた。
【００１０】
一方、特許文献２に記載のような従来のリモートコントローラは、テレビジョン受信装置などの操作対象機器を遠隔操作するのみであり、自ら所定の情報例えばテレビジョン受信装置に表示された番組に関する情報を送信することはなかった。
【００１１】
本発明は、以上の点に鑑みて創案されたものであり、様々なジャンルの情報を省スペースで送信できる情報送信装置を提供することを目的とする。
【００１２】
一方、本発明は、以上の点に鑑みて創案されたものであり、様々な情報を送信できるリモートコントローラ送信装置を提供することを目的とする。
【課題を解決するための手段】
【００１３】
上記の目的を達成するために、本発明の情報送信装置は、携帯情報端末との間隙が所定の距離以下の場合に同携帯情報端末に第ｎ（１≦ｎ≦Ｎ）（Ｎは２以上の整数）情報を送信する情報送信手段と、表示内容が変更可能に構成された情報表示手段と、前記情報送信手段が送信する第ｎ情報を選択するＮ個の選択手段とを備え、前記情報送信手段は、第ｎ番目の前記選択手段によって選択された第ｎ情報を送信可能に構成される。
【００１４】
ここで、情報送信手段が送信する第ｎ情報を選択するＮ個の選択手段によって、様々なジャンルの情報を選択することができる。
【００１５】
また、本発明の情報送信装置において、情報送信手段は、情報表示手段を通して第ｎ情報を送信する場合、消費者は、携帯情報端末を、例えば情報のジャンルを示す画像が表示された情報表示手段の上方にかざすだけで、選択したジャンルの情報を得ることができる。
なお、本発明において、情報表示手段が表示する「画像」とは、例えばアイコン、動画、スライドショーを意味する。
【００１６】
また、本発明の情報送信装置において、情報送信手段は、情報表示手段の外側の領域に位置する場合、情報表示手段に表示された例えばジャンルを示す画像を携帯情報端末で隠すことなく、情報送信手段から携帯情報端末へ情報を送信することができる。
【００１７】
また、本発明の情報送信装置において、情報表示手段によって表示される内容は、第ｎ情報のジャンルに属する広告情報である場合、情報表示手段に表示された広告情報を見た消費者が、広告情報に興味を持って広告情報に関するジャンルの情報を得ようとし、広告宣伝効果の向上が期待できる。
【００１８】
また、本発明の情報送信装置において、第ｎ情報及び広告情報は、情報送信装置が設置される場所を中心として所定の範囲の領域についての情報である場合、消費者は、携帯情報端末を、例えば情報のジャンルを示す画像が表示された情報表示手段の上方にかざすだけで、現在地周辺の情報を得ることができる。
ここで、「所定の範囲」とは、半径数メートルから数十キロメートルの範囲をいう。
【００１９】
一方、上記の目的を達成するために、本発明のリモートコントローラ送信装置は、携帯情報端末との間隙が所定の距離以下の場合に同携帯情報端末に第ｎ（１≦ｎ≦Ｎ）（Ｎは２以上の整数）情報を送信する情報送信手段と、テレビジョン受信装置のチャンネル情報を選択すると共に前記情報送信手段が送信する第ｎ情報を選択するＮ個の選択手段とを備え、前記情報送信手段は、第ｎ番目の前記選択手段によって選択された第ｎ情報を送信可能に構成される。
【００２０】
ここで、テレビジョン受信装置のチャンネル情報を選択すると共に情報送信手段が送信する第ｎ情報を選択するＮ個の選択手段によって、消費者は様々な情報を選択できる。
【００２１】
また、本発明のリモートコントローラ送信装置において、第ｎ番目の選択手段によって選択された第ｎ情報は、第ｎ番目の選択手段によって選択されたチャンネル情報に対応する場合、例えば選択手段によって８チャンネルが選択されたときに、８チャンネルの放送中の内容に関する情報や８チャンネルの放送局に関する情報などを情報送信手段が携帯電話機へ送信して、消費者は、視聴している番組に関してより深い知識を得ることができる。
【発明の効果】
【００２２】
本発明に係る情報送信装置は、様々なジャンルの情報を省スペースで送信できる。
【００２３】
本発明に係るリモートコントローラ送信装置は、様々な情報を送信できる。
【図面の簡単な説明】
【００２４】
【図１】本発明の情報送信装置の一構成例を説明する概略図である。
【図２】本発明の情報送信装置の他の構成例を説明する概略図である。
【図３】本発明の情報送信装置を利用して情報を取得する手順の一例を説明する概略図である。
【図４】本発明のリモートコントローラ送信装置の構成例を説明する概略図である。
【図５】本発明のリモートコントローラ送信装置を利用して情報を取得する手順の一例を説明する概略図である。
【発明を実施するための形態】
【００２５】
以下、本発明の実施の形態について図面を参照しながら説明し、本発明の理解に供する。
図１は、本発明の情報送信装置の一構成例を説明する概略図である。図１において、本発明の情報送信装置１は、携帯電話機７との間隙が所定の距離（例えば数センチメートル）以下の場合に、携帯電話機７に第ｎ情報（１≦ｎ≦Ｎ）（Ｎは２以上の整数）を送信するＩＣタグ（情報送信手段の一例である。）２と、表示内容（例えば選択ボタンの種類を表示する文字「会員登録」「地域」「温泉」「釣り」）が変更可能に構成された液晶表示パネル（情報表示手段の一例である。）３と、液晶表示パネル３を囲むフレーム４と、フレーム４に取付けられると共にＩＣタグ２が送信する第ｎ情報を選択する構成とされた４個（Ｎ＝４）の選択ボタン（第１の選択ボタン５Ａ〜第４の選択ボタン５Ｄ）５とを備える。また、選択ボタン５は、回線８によってＩＣタグ２に接続されている。
また、図１において、ＩＣタグ２は、消費者が第３の選択ボタン５Ｃを押すことで選択された第３情報即ちホームページＵＲＬ情報を含む温泉に関する情報を、送信方向６に沿って、ＩＣタグ２から所定の距離（例えば数センチメートル）上方に離れた位置に配置された（かざされた）携帯電話機７に、液晶表示パネル３を通して送信可能に構成されている。
また、消費者が第３の選択ボタン５Ｃを押すことで、液晶表示パネル３には、温泉に関する動画（例えば広告情報）が表示される。
【００２６】
なお、通常、液晶表示パネルは、ガラス基板で挟持された液晶からなる液晶層と、断熱材と、コイル等が積層されて一体化された構成となっているが、図１では、そのうち液晶層のみが示されている。また、図１に示す本発明の情報送信装置の例では、ＩＣタグは、液晶層と断熱材との間に配置され、液晶表示パネルとＩＣタグとが一体化される。
また、図１では、液晶表示パネル３は、携帯電話機７をかざす位置とＩＣタグ２との間に配置された様子を示しているが、必ずしもこのような配置でなくてもよく、例えば、液晶表示パネル３と、携帯電話機７をかざす位置との間に、視認されにくい、ＩＣタグから延びたアンテナ線が配置されてもよく、この場合、ＩＣタグから延びた視認されにくいアンテナ線を用いることで、液晶表示パネルに表示された内容を、ＩＣタグから延びた視認されにくいアンテナ線を通して見ることができる。
【００２７】
また、同様に、図１において、ＩＣタグ２は、消費者が第１の選択ボタン５Ａを押すことで選択された第１情報即ちホームページＵＲＬ情報を含む会員登録に関する情報を、送信方向６に沿って、ＩＣタグ２から所定の距離（例えば数センチメートル）上方に離れた位置に配置された（かざされた）携帯電話機７に、液晶表示パネル３を通して送信可能に構成されている。また、消費者が第１の選択ボタン５Ａを押すことで、液晶表示パネル３には、会員登録に関する動画が表示される。
また、同様に、図１において、ＩＣタグ２は、消費者が第２の選択ボタン５Ｂを押すことで選択された第２情報即ちホームページＵＲＬ情報を含む地域に関する情報を、送信方向６に沿って、ＩＣタグ２から所定の距離（例えば数センチメートル）上方に離れた位置に配置された（かざされた）携帯電話機７に、液晶表示パネル３を通して送信可能に構成されている。また、消費者が第２の選択ボタン５Ｂを押すことで、液晶表示パネル３には、地域情報に関する動画が表示される。
また、同様に、図１において、ＩＣタグ２は、消費者が第４の選択ボタン５Ｄを押すことで選択された第４情報即ちホームページＵＲＬ情報を含む釣りに関する情報を、送信方向６に沿って、ＩＣタグ２から所定の距離（例えば数センチメートル）上方に離れた位置に配置された（かざされた）携帯電話機７に、液晶表示パネル３を通して送信可能に構成されている。また、消費者が第４の選択ボタン５Ｄを押すことで、液晶表示パネル３には、釣りに関する動画が表示される。
【００２８】
また、液晶表示パネル３に表示される内容は、選択ボタン５の種類を表示する文字だけでなく、ＩＣタグ２から送信される第１〜４情報の内容に対応するアイコン（アイコンに対応する文字を含む。）や、第１〜４情報のジャンルに属する広告情報（動画を含む。）もある。また、液晶表示パネル３は、必ずしも選択ボタン５の種類を表示する文字を表示しなくてもよく、このような文字を表示しない代わりに、フレーム４の選択ボタン５付近に、文字が記載されたシールが貼付されていてもよい。
また、選択ボタン５を押すことで、送信されるＵＲＬ情報が変わると共に、液晶表示パネル３に表示される内容も、送信されるＵＲＬ情報に関連した動画に切り替わることを説明したが、必ずしも液晶表示パネル３に表示される内容まで連動して変えなくてもよい。
また、液晶表示パネル３に表示される内容は、本発明の情報送信装置１内に挿入されるＤＶＤ等の記録媒体に記録された情報や、管理サーバのデータベースに記録されていると共にインターネットを介して情報送信装置１に配信された情報であってもよく、この場合、インターネットを介して管理サーバによって液晶表示パネルの表示内容を変更したり、情報送信装置１内に挿入されるＤＶＤ等の記録媒体を取替えることで液晶表示パネルの表示内容を変更したりする。
また、第１〜４情報及び液晶表示パネル３に表示される広告情報は、情報送信装置１が設置される場所（例えば飲食店、役所）を中心として所定の範囲（例えば半径数キロメートル以内）の領域についての情報である。
【００２９】
ここで、４個の選択ボタンを使用した例を挙げているが、ＩＣタグが送信する第ｎ情報を選択できるのであれば、必ずしも４個でなくてもよく、４個より多くても４個より少なくてもよい。また、携帯情報端末との間隙が所定の距離以下の場合に携帯情報端末に第ｎ情報を送信するのであれば、必ずしもＩＣタグでなくてもよい。
また、選択ボタン５を手で押す例を説明したが、リモートコントローラによって選択ボタン５を遠隔操作するようにしてもよい。
また、情報表示手段は、表示内容が変更可能に構成されていれば、必ずしも液晶表示パネルでなくてもよく、ＬＥＤやプラズマで構成された情報表示手段であってもよい。
【００３０】
図２は、本発明の情報送信装置の他の構成例を説明する概略図である。図２に示す情報送信装置１において、ＩＣタグ２が、液晶表示パネル３やフレーム４の外側の領域に位置しており、液晶表示パネル３を通さずに第ｎ情報を送信する点以外は、図１に示す情報送信装置と同じである。
【００３１】
図３は、本発明の情報送信装置を利用して情報を取得する手順の一例を説明する概略図である。
例えば飲食店の店内にいる消費者が、飲食店の店内に設置された情報送信装置１の液晶表示パネル３に表示された広告情報について興味を持って詳細な情報を得たい場合、選択ボタン５のうち、広告情報が属するジャンル例えば「温泉」に関する情報を選択する第３の選択ボタン５Ｃを押す（ステップＳ１）。
そして、液晶表示パネル３に、非接触ＩＣ通信機能を備えた携帯電話機７を近づける（ステップＳ２）。
この場合、例えば液晶表示パネル３に温泉のアイコンが表示されたり、「温泉情報です。」という音声が流れたりして、消費者に対して、消費者自身が温泉に関する情報を携帯電話機７に送信させることを知らせる。
【００３２】
そして、情報送信装置１は、携帯電話機７がＩＣタグ２から所定の距離（例えば数センチメートル）上方に離れた位置に配置された際に、第３情報即ちホームページＵＲＬ情報を含む温泉に関する情報（ジャンル情報）を、このジャンルに属する広告情報と共に携帯電話機７へ非接触ＩＣ通信によって送信する（ステップＳ３）。
【００３３】
次に、携帯電話機７に送信された温泉に関する情報は、ホームページＵＲＬ情報を含むので、携帯電話機７の画面には、温泉に関連するホームページのＵＲＬ情報が表示される（ステップＳ４）。
【００３４】
また、携帯電話機７に送信される温泉に関する情報には、広告情報に関連するクーポン情報やコンテンツ情報も含まれるので、消費者の携帯電話機７の画面には、クーポン情報やコンテンツ情報も表示される。
【００３５】
ここで消費者は、携帯電話機７の画面に表示されたＵＲＬ情報を選択して、温泉に関するホームページにアクセスすることができるが、このホームページは、前述の管理サーバ内に存在させてもよいし、他のサーバ内に存在させてもよい。また、ホームページには動画情報も含まれており、アクセスすると動画が再生される。
【００３６】
また、例えば、温泉情報や釣り情報から別の情報へ変更する場合は、ＩＣタグから送信されるＵＲＬ情報先のホームページを変更すると共に、ホームページの内容に合わせて液晶表示パネルに表示される内容も変更する。
【００３７】
以上のように、本発明の情報送信装置は、第１〜４番目の選択ボタンのうちの１つで第１〜４情報のうち１つの情報を選択して、選択された情報を、１つのＩＣタグから液晶表示パネルを通して携帯電話機へ送信するので、ジャンルごとにＩＣタグを用意して送信する場合に比べて、様々なジャンルの情報を省スペースで送信できる。
【００３８】
また、液晶表示パネルが第１〜４情報のジャンルに属する広告情報を表示するので、表示された広告情報を見た消費者が、広告情報に興味を持って広告情報に関するジャンルの情報を得ようとし、広告宣伝効果の向上が期待できる。
【００３９】
図４は、本発明のリモートコントローラ送信装置の構成例を説明する概略図である。
図４において、本発明のリモートコントローラ送信装置１１は、携帯電話機７との間隙が所定の距離（例えば数センチメートル）以下の場合に、携帯電話機７に第ｎ情報（１≦ｎ≦Ｎ）（Ｎは２以上の整数）を送信するＩＣタグ（情報送信手段の一例である。）２と、テレビジョン受信装置１２のチャンネル情報を選択すると共にＩＣタグ２が送信する第ｎ情報を選択する構成とされた６個（Ｎ＝６）の選択ボタン（第１の選択ボタン５Ａ〜第６の選択ボタン５Ｆ）５とを備える。
また、選択ボタン５は、回線（図示せず。）によってＩＣタグ２に接続されている。
また、ＩＣタグ２は、例えば消費者が第４の選択ボタン５Ｄを押すことで選択された第４情報即ちホームページＵＲＬ情報を含む８チャンネルの番組に関する情報（番組情報及び広告情報）を、送信方向６に沿って、ＩＣタグ２から所定の距離（例えば数センチメートル）上方に離れた位置に配置された（かざされた）携帯電話機７に、送信可能に構成されている。なお、消費者が、第４の選択ボタン５Ｄを押すことで、テレビジョン受信装置１２のチャンネル情報も選択しているので、テレビジョン受信装置１２の画面には、８チャンネルの番組が表示されている。
【００４０】
また、同様に、ＩＣタグ２は、消費者が第１の選択ボタン５Ａを押すことで選択された第１情報即ちホームページＵＲＬ情報を含む１チャンネルの番組に関する情報（番組情報及び広告情報）を、送信方向６に沿って、ＩＣタグ２から所定の距離（例えば数センチメートル）上方に離れた位置に配置された（かざされた）携帯電話機７に、送信可能に構成されている。なお、消費者が、第１の選択ボタン５Ａを押すことで、テレビジョン受信装置１２のチャンネル情報も選択しているので、テレビジョン受信装置１２の画面には、１チャンネルの番組が表示されている。
【００４１】
また、同様に、ＩＣタグ２は、消費者が第２の選択ボタン５Ｂを押すことで選択された第２情報即ちホームページＵＲＬ情報を含む２チャンネルの番組に関する情報（番組情報及び広告情報）を、送信方向６に沿って、ＩＣタグ２から所定の距離（例えば数センチメートル）上方に離れた位置に配置された（かざされた）携帯電話機７に、送信可能に構成されている。なお、消費者が、第２の選択ボタン５Ｂを押すことで、テレビジョン受信装置１２のチャンネル情報も選択しているので、テレビジョン受信装置１２の画面には、２チャンネルの番組が表示されている。
【００４２】
また、同様に、ＩＣタグ２は、消費者が第３の選択ボタン５Ｃを押すことで選択された第３情報即ちホームページＵＲＬ情報を含む４チャンネルの番組に関する情報（番組情報及び広告情報）を、送信方向６に沿って、ＩＣタグ２から所定の距離（例えば数センチメートル）上方に離れた位置に配置された（かざされた）携帯電話機７に、送信可能に構成されている。なお、消費者が、第３の選択ボタン５Ｃを押すことで、テレビジョン受信装置１２のチャンネル情報も選択しているので、テレビジョン受信装置１２の画面には、４チャンネルの番組が表示されている。
【００４３】
また、同様に、ＩＣタグ２は、消費者が第５の選択ボタン５Ｅを押すことで選択された第５情報即ちホームページＵＲＬ情報を含む１０チャンネルの番組に関する情報（番組情報及び広告情報）を、送信方向６に沿って、ＩＣタグ２から所定の距離（例えば数センチメートル）上方に離れた位置に配置された（かざされた）携帯電話機７に、送信可能に構成されている。なお、消費者が、第５の選択ボタン５Ｅを押すことで、テレビジョン受信装置１２のチャンネル情報も選択しているので、テレビジョン受信装置１２の画面には、１０チャンネルの番組が表示されている。
【００４４】
また、同様に、ＩＣタグ２は、消費者が第６の選択ボタン５Ｆを押すことで選択された第６情報即ちホームページＵＲＬ情報を含む１２チャンネルの番組に関する情報（番組情報及び広告情報）を、送信方向６に沿って、ＩＣタグ２から所定の距離（例えば数センチメートル）上方に離れた位置に配置された（かざされた）携帯電話機７に、送信可能に構成されている。なお、消費者が、第６の選択ボタン５Ｆを押すことで、テレビジョン受信装置１２のチャンネル情報も選択しているので、テレビジョン受信装置１２の画面には、１２チャンネルの番組が表示されている。
【００４５】
ここで、６個の選択ボタンを使用した例を挙げているが、テレビジョン受信装置のチャンネル情報を選択すると共にＩＣタグが送信する第ｎ情報を選択できるのであれば、必ずしも６個でなくてもよく、６個より多くても６個より少なくてもよい。また、携帯情報端末との間隙が所定の距離以下の場合に携帯情報端末に第ｎ情報を送信するのであれば、必ずしもＩＣタグでなくてもよい。
また、第ｎ情報が、チャンネル情報に対応している例を説明したが、必ずしも第ｎ情報はチャンネル情報に対応していなくてもよく、例えば、第４の選択ボタンを押して８チャンネルの番組がテレビジョン受信装置で表示されていても、それとは関係なく、ＩＣタグからは、例えばホームページＵＲＬ情報を含む温泉に関する情報が携帯電話機へ送信されてもよい。
【００４６】
図５は、本発明のリモートコントローラ送信装置を利用して情報を取得する手順の一例を説明する概略図である。
例えば、自宅で、消費者がリモートコントローラ送信装置１１の第４の選択ボタン（チャンネルボタン）５Ｄで、８チャンネルのチャンネル情報を選択し（ステップＳ１１）、テレビジョン受信装置１２で８チャンネルの番組を観ているとき、番組の内容に興味を持って詳細な情報を得たい場合は、リモートコントローラ送信装置１１のＩＣタグ２に、非接触ＩＣ通信機能を備えた携帯電話機７を近づける（ステップＳ１２）。
【００４７】
そして、リモートコントローラ送信装置１１は、携帯電話機７がＩＣタグ２から所定の距離（例えば数センチメートル）上方に離れた位置に配置された際に、選択された８チャンネルの情報に対応する第４情報（即ち、ホームページＵＲＬ情報を含む８チャンネルの番組に関する番組情報）を、番組スポンサーの広告情報と共に携帯電話機７へ非接触ＩＣ通信によって送信する（ステップＳ１３）。
【００４８】
次に、携帯電話機７に送信された８チャンネルの番組情報は、ホームページＵＲＬ情報を含むので、携帯電話機７の画面には、８チャンネルの番組に関連するホームページＵＲＬ情報が表示される（ステップＳ１４）。
また、ホームページには動画情報も含まれており、アクセスすると動画が再生される。
【００４９】
また、携帯電話機７へ送信される８チャンネルの番組情報には、広告情報に関連するクーポン情報やコンテンツ情報も含まれるので、携帯電話機７の画面には、クーポン情報やコンテンツ情報も表示される。
【００５０】
以上のように、本発明のリモートコントローラ送信装置は、第１〜６番目の選択ボタンのうちの１つで、テレビジョン受信装置のチャンネル情報を選択すると共に第１〜６情報のうち１つの情報を選択し、選択されたチャンネル情報の番組をテレビジョン受信装置に表示させると共に、表示された番組に対応する、第１〜６情報のうち１つの情報を、ＩＣタグから携帯電話機へ送信するので、様々な情報を消費者の携帯電話機へ送信することができる。
また、テレビジョン受信装置に表示された番組に対応する情報が消費者の携帯電話機へ送信されるので、消費者は、視聴している番組に関してより深い知識を得ることができる。
【符号の説明】
【００５１】
１    情報送信装置
２    ＩＣタグ
３    液晶表示パネル
４    フレーム
５    選択ボタン
５Ａ  第１の選択ボタン
５Ｂ  第２の選択ボタン
５Ｃ  第３の選択ボタン
５Ｄ  第４の選択ボタン
５Ｅ  第５の選択ボタン
５Ｆ  第６の選択ボタン
６    送信方向
７    携帯電話機
８    回線
１１    リモートコントローラ送信装置
１２    テレビジョン受信装置
【図１】
2010263356.tif 000003
【図２】
2010263356.tif 000004
【図３】
2010263356.tif 000005
【図４】
2010263356.tif 000006
【図５】
2010263356.tif 000007